(57)【要約】【課題】  従来の占い師による占いは、利用客にとって占い師の評価基準がなく、また個人情報の保護などの他、様々な不安要素があった。【解決手段】  複数ジャンルの複数の占い師を集めた占い館を運営し、利用者に時間の経過を追って複数回のアンケートを行い、その得点の増減による数値で評価基準を算出する。また、利用者が安心して利用できるよう占い師を管理する。  これにより利用者は、ＴＶや雑誌の占いを見る程度の気軽な気持ちで占い師を利用できるようになる。【選択図】図１
2007300776.tif 000002
【特許請求の範囲】
【請求項１】
占い師の優劣を測る数値を算出するために、利用者の満足度を複数回のアンケートを時間の経過を追って行い得点を増減させることにより、すぐには結論の出ない事柄（当たった・外れた）を繁栄させた占い師の評価を行う方法。
【請求項２】
複数ジャンルの複数の占い師を集め、宗教などへの勧誘やお守りなどの物販行為の禁止と個人情報の保護を徹底した上で、前記評価方法を用い利用者が安心して利用できる占い専門館の運営を行う方法。
【発明の詳細な説明】
【技術分野】
【０００１】  本発明は、一般の人が安心して利用できる複数ジャンルの複数の占い師を集めた施設に関する。
【背景技術】
【０００２】  インターネットを介して占い師と利用者のマッチングを行うシステムの出願がある（例えば特許文献１、及び特許文献２参照。）。
また、インターネットを介して利用者が知りたい時に自分の運気を占うシステムの出願がある（例えば特許文献３、及び特許文献４参照。）。【０００３】  前述の占い師と利用者のマッチングを行うシステムでは、利用者が問い合わせ内容をフォームに入力し送信して抽出された占い師のＩＤ・性別・住所・電話番号とメールアドレスを受け取る。
また、利用者にアンケートを行いその質問情報を占い師側にも提供して、利用者がどのような回答を行ったかに関する回答で、適合する占い師を抽出して利用者に通知する。
【特許文献１】  特開２００６−０２３８６１号  公報
【特許文献２】  特開２００４−０６２３７０号  公報
【０００４】  前述の利用者が知りたい時に自分の運気を占うシステムでは、利用者が個人情報データを登録して、運気の吉凶を任意で設定した定期的又は移動距離に対応して配信を受ける。
また、利用者が個人情報データを登録した上で、日々の行動に関する情報を入力する。利用者から運気をみたいという閲覧請求があった時、サーバーが算出した運気を利用者に配信する。
【特許文献３】  特開２００２−１８６７８０号  公報
【特許文献４】  特開２００３−１１１９７４号  公報
【発明の開示】
【発明が解決しようとする課題】
【０００５】  以上に述べた従来のシステムでは、利用者及び占い師の個人情報がオンラインになることによる情報漏れの可能性は否定できない。
一般的には、占いの現状は不特定多数の利用者に対して雑誌や新聞、ＴＶの情報番組など見られるものと、占い師が自宅や路上又はビルなどで営業している形態がある。前者は日常の気軽な占いであり、後者はより深刻な内容の需要に対応している。しかし、一般的には占い師に見てもらおうと思っても、料金がはっきりしない・宗教に勧誘されるかもしれない・お守りと称した水晶玉やお札を買わされるかもしれない・悩み事を話すことの情報漏れが心配などの意見が多く、軽い気持ちでは利用できない。
また、一般的には実際に占い師を選ぶ際の評価や基準がないため、利用者にとっては誰に見てもらうかを判断することが難しいのが現状である。【０００６】  本発明はこのような従来の問題点を解決しようとするものであり、利用者が安心して利用できる占い専門館の運営を行うことを目的とするものである。
【課題を解決するための手段】
【０００７】  そして、本発明は上記目的を達成するために、利用者及び占い師の個人情報の保護と、利用者の不安を取り除くための占い師の管理を行うものである。【０００８】  また、第２の解決手段は、利用者に時間の経過を追って複数回のアンケートを行うことで、その得点の増減を算出して占い師の評価を行うものである。【０００９】  上記第１の課題解決手段による作用は次の通りである。すなわち、利用者は個人情報漏れの心配や物品を売りつけられるなどの心配の必要がなくなるためＴＶや雑誌の占いを見る程度の気軽な感覚で占い師に見てもらえるようになる。【００１０】  また、第２の解決手段による作用は、占いの結果が悪かった場合に利用者にその時は不愉快な印象を与えるが、時間の経過とともに占い師の云ったことが当たっていたというような占い師の能力を数値で示すことで、利用者がどの占い師に見てもらうか判断の基準ができる。
【発明の効果】
【００１１】  上述したように本発明の占い館の運営方法においては、利用者は安心して気軽な感覚で占い師に見てもらうことができ、占いは一般に身近になる。【００１２】  また、占い師は街頭で営業する場合には許可を得る必要があり、ビルの一角や自宅で営業する場合にも集客が難しかったが、本発明の占い館の運営方法においては、占い師は宣伝費や営業場所の光熱費などの心配がなくなる。【００１３】  一般的には占いの利用者は女性が多く、占い館を受け入れるファッションビルなどの建物は、女性客の増加とビルの活性化が実現する。【００１４】  また、出資者及び運営者は最小限の設備投資で商品などの在庫を抱えることなく安定した収益が望める。
【発明の実施をするための最良の形態】
【００１５】  以下、本発明の実施の形態を図１及び図２に基づいて説明する。
【００１６】  図１においては、本発明の運営で、日本国内に点在する占い師の養成学校では生徒が卒業しても営業する場所がなく、結局趣味程度で終わる人が多いのが現状であるが、卒業後に占い館への参加を斡旋させることによって学校側にも宣伝効果と他校との差別化が実現できる。（Ａ）
既に営業をしている占い師にとっては、集客が最も重大で困難な課題であるが、運営者が効果的な宣伝広告を行うことで集客力を獲得でき、運営者が営業統計をとることで収益の見込みが立つようになる。（Ｂ）
また、出資者及び運営者は、最小限の設備投資で商品などの在庫を抱えることなく、確実に安定した収益（営業日数×占い師の人数×占い師の参加費用）が見込める。運営者は安定した収益の中から、ビルへのテナント料金・受付担当従業者の人件費・宣伝広告費のみの支出で出資者へ安定した配当金を支払うことができる。（Ｃ）
首都圏に限らずファッションビルなどは、空き店舗が埋まらない所も多いが、占い館を受け入れることで女性客が増加しビル全体の活性化に繋がる。（Ｄ）
【００１７】  図２においては、店内レイアウトの例で、占い師の管理方法として受付担当者を置くことで利用者に占い師１人１人の得意分野やプロフィールを紹介する。利用者は占い師の評価基準と１人１人の得点数値を参考にして占い師を選ぶことができる。
【００１８】  一般的に、占いでは利用者が個別に持つ運気を占うための手段として、利用者の生年月日を始めとした個人情報を明かす必要があり、占い師はその内容をメモしながら占いをする。利用者には受付において、占い師が書き記したメモの全てを回収するように伝える。
【００１９】  占いを終えた利用者に、受付において会計をする時に利用についての１回目のアンケートを行う。アンケート用紙にはパスワードが記載されており、その回答を回収する時に、同じパスワードを付けた一定時間を経過した後の２回目以降のアンケート用紙を渡す。アンケートは少なくとも３回行うのが望ましい。
２回目以降のアンケートについては、利用者の任意でＦＡＸやメールなどを通じて回答してもらう。この場合、必然的に回収率は低くなるが、時間を経過した後でも回答を寄せる利用者には１回目以上に強い動機が生まれている。
（例えば、不愉快な思いをしたが占いは当たっていたなど。）
【００２０】  １回目のアンケートの結果を基準とし２回目以降の数値の増減で、より正確な占い師の能力評価の数値を算出する。アンケートにパスワードをつけることで、１回目のアンケートから一定時間の経過をしていない解答を却下することができ、占い師の身内などによる自作自演を防止することができる。
【図面の簡単な説明】
【００２１】
【図１】  本発明のビジネスモデルの簡略図
【図２】  店内レイアウトの例
【図１】
2007300776.tif 000003
【図２】
2007300776.tif 000004